(57)【要約】【課題】使用者の顔の形状を加味して横向き寝に相応しい枕を提供することができる枕を提供する。【解決手段】一実施形態に係る枕は、第１方向Ｄ１、及び第１方向Ｄ１に交差する第２方向Ｄ２、の双方に延びる長方形状の表地１１を含む直方体状の側地１０を備えた枕１であって、第１方向Ｄ１の両端側のそれぞれに位置する第１部分Ｐ１と、第１部分Ｐ１の側地１０の隅部１０ｂ側に位置する第２部分Ｐ２と、を備え、第２部分Ｐ２は、第１部分Ｐ１に対する第２部分Ｐ２の高さを高くする高さ調整部材を収容する収容空間Ｋを有する。【選択図】図２
2020174743.tif 000002
【特許請求の範囲】
【請求項１】
第１方向、及び前記第１方向に交差する第２方向、の双方に延びる長方形状の表地を含む直方体状の側地を備えた枕であって、
前記第１方向の両端側のそれぞれに位置する第１部分と、
前記第１部分の前記側地の隅部側に位置する第２部分と、
を備え、
前記第２部分は、前記第１部分に対する前記第２部分の高さを高くする高さ調整部材を収容する収容空間を有する、
枕。
【請求項２】
前記収容空間は、前記表地の裏側に形成されており、
前記高さ調整部材は、前記表地の裏側に位置する前記収容空間に収容される、
請求項１に記載の枕。
【請求項３】
前記第２部分は、前記収容空間に前記高さ調整部材を出し入れ可能とする開口を有する、
請求項２に記載の枕。
【請求項４】
前記収容空間には、複数の前記高さ調整部材を出し入れ可能とされている、
請求項１〜３のいずれか一項に記載の枕。
【発明の詳細な説明】
【技術分野】
【０００１】
本開示は、使用者の頬が載せられる枕に関する。
【背景技術】
【０００２】
特開平１１−２０６５３８号公報には、個人別枕及びその製造方法が記載されている。この個人別枕は、基礎枕と、凸枕と、基礎枕及び凸枕を収納するセットアップカバーとを備える。枕の高さが低すぎる場合には、セットアップカバーの内部における基礎枕の下側に高さ微調節枕が付加される。また、使用者の頸部の高さが枕に合わない場合には、セットアップカバーの内部における凸枕の上に頸部圧迫感微調節枕が付加される。
【０００３】
特開２００８−１８１５４号公報には、４つの枕部材が連結部を介して互いに連結された枕が記載されている。各枕部材は、連結部に対して着脱可能とされている。４つの枕部材は、羽毛を収納した枕部材、低反発ウレタンを収納した枕部材、そば殻を収納した枕部材、及びプラスチックパイプを収納した枕部材によって構成されている。使用者は、枕部材の枚数及び種類を選択し、選択した枕部材を連結部に取り付けることにより、枕の高さ及び硬さを調整可能とされている。
【０００４】
特開２００７−３９７号公報には、高さ調節可能な枕が記載されている。この枕は、長手方向の中央に位置する第１枕体と、第１枕体の長手方向の両側のそれぞれに位置する第２枕体とを備える。第１枕体の下部、及び第２枕体の下部、のそれぞれには複数の調節パッドが出し入れ可能となっている。第１枕体の下部、及び第２枕体の下部、のそれぞれにおける調節パッドの枚数を変更することによって枕の各部の高さを調整可能となっている。
【先行技術文献】
【特許文献】
【０００５】
【特許文献１】特開平１１−２０６５３８号公報
【特許文献２】特開２００８−１８１５４号公報
【特許文献３】特開２００７−３９７号公報
【発明の概要】
【発明が解決しようとする課題】
【０００６】
ところで、枕を使用する使用者の顔の形状は、人それぞれで異なっており、個人差がある。例えば、縦の長さと横の長さとの比率が１：１に近い丸顔の使用者もいれば、縦の長さが横の長さよりも長い面長の使用者もいれば、長方形の輪郭に近い顔の使用者もいれば、頬から顎にかけて引き締まった細い顔の使用者も存在する。従って、使用者の顔の形状を考慮して枕の高さを調整することが求められる。
【０００７】
前述した枕では、長手方向の中央に位置する第１枕体の高さ、及び長手方向の両側のそれぞれに位置する第２枕体の高さを調整可能である。しかしながら、この枕では、使用者の顔の形状が考慮されないため、枕の高さを調整しても使用者に適した枕にならない可能性がある。枕が横向き寝をする使用者に適さない場合、横向き寝をするときに使用者の頬を圧迫する可能性がある。
【０００８】
枕で横向き寝をするときに頬が圧迫されると、頬に圧力が集中して頬の血流が妨げられ、健康な肌の状態をキープできなくなる可能性がある。寝ている間に頬に圧力が集中すると、頬における血液循環が妨げられやすくなり、シミの原因を誘発する可能性がある。前述した枕では、高さ調整を行うことは可能である。しかしながら、高さ調整を行うと、長手方向の中央、及び長手方向の両側のそれぞれ、の全体の高さが変わってしまうため、使用者の顔の形状によっては、高さを調整しても横向き寝に相応しい枕を提供できない可能性がある。
【０００９】
本開示は、使用者の顔の形状を加味して横向き寝に相応しい枕を提供することを目的とする。
【課題を解決するための手段】
【００１０】
本開示に係る枕は、第１方向、及び第１方向に交差する第２方向、の双方に延びる長方形状の表地を含む直方体状の側地を備えた枕であって、第１方向の両端側のそれぞれに位置する第１部分と、第１部分の側地の隅部側に位置する第２部分と、を備え、第２部分は、第１部分に対する第２部分の高さを高くする高さ調整部材を収容する収容空間を有する。
【００１１】
この枕では、表地が第１方向及び第２方向の双方に延びる長方形状とされると共に、表地を含む側地が直方体状とされる。枕の第１方向の両側のそれぞれには第１部分が設けられ、第１部分は横向き寝をした使用者の頬が当たる部位に相当する。また、第１部分の側地の隅部側には第２部分が設けられ、第２部分は高さ調整部材を収容する収容空間を有する。第２部分は使用者の頬から顎に向かう部分が載せられる部位であって、この第２部分の高さが高さ調整部材によって調整可能とされている。すなわち、収容空間に収容される高さ調整部材によって、頬から顎に向かう部分の高さが調整可能となっている。従って、頬から顎に向かう部分が引き締まっていて細い顔の使用者に対しては高さ調整部材によって第２部分の高さを高くし、頬から顎に向かう部分にエラが張っていて太い顔の使用者に対しては第２部分を低くして、頬から顎に向かう部分に対する枕の接触面積を増やすことができる。頬から顎に向かう部分の枕に対する接触面積を増やすことによって当該部分の圧力を緩和することができるので、使用者の顔の形状に応じた横向き寝に相応しい枕を提供することができる。
【００１２】
また、収容空間は、表地の裏側に形成されており、高さ調整部材は、表地の裏側に位置する収容空間に収容されてもよい。この場合、高さ調整部材を収容する収容空間が表地の直ぐ裏に設けられるので、高さ調整部材の出し入れによってより確実に第２部分の高さを変えることができる。具体的には、収容空間が表地から遠く下方に設けられる場合には高さ調整部材を収容しても第２部分の高さが変わりにくいことがあるのに対し、収容空間が表地の直ぐ裏にある場合には高さ調整部材の収容によって第２部分の高さをより直接的に変更することができる。
【００１３】
また、第２部分は、収容空間に高さ調整部材を出し入れ可能とする開口を有してもよい。この場合、開口を介して収容空間に高さ調整部材を容易に出し入れすることができるので、枕の頬から顎に向かう部分が当たる第２部分の高さを容易に調整することができる。また、高さ調整部材を容易に出し入れできることにより、高さ調整部材の洗濯等を容易に行うことができるので、衛生的な高さ調整部材とすることができる。
【００１４】
また、収容空間には、複数の高さ調整部材を出し入れ可能とされていてもよい。この場合、収容空間を有する第２部分の高さを３段階以上で変更することができる。従って、頬から顎に向かう部分の形状によって使用者を３タイプ以上に分け、第２部分の高さを各タイプの顔の形状に応じた高さとすることができる。その結果、使用者の顔の形状を３タイプ以上に分類して、各タイプに応じて第２部分の高さをよりきめ細やかに変更することができる。よって、個人差に応じて第２部分の高さがよりきめ細やかに調整された枕を提供することができるので、横向き寝に一層相応しい枕を使用者に提供することができる。
【発明の効果】
【００１５】
本発明によれば、使用者の顔の形状を加味して横向き寝に相応しい枕を提供することができる。
【図面の簡単な説明】
【００１６】
【図１】実施形態に係る例示的な枕を示す斜視図である。
【図２】図１の枕の表地を模式的に示す平面図である。
【図３】図２のIII−III線断面図である。
【図４】図２のIV−IV線断面図である。
【図５】図１の枕の表地を図１とは反対側から見た斜視図である。
【図６】図１の枕の裏地を示す斜視図である。
【図７】図１の枕の第１部分及び第２部分の開口を示す斜視図である。
【図８】図１の枕の第２部分の高さを調整する高さ調整部材の例を示す平面図である。
【図９】（ａ）、（ｂ）及び（ｃ）のそれぞれは、使用者の顔の形状のタイプの例を示す図である。
【発明を実施するための形態】
【００１７】
以下では、図面を参照しながら本発明に係る枕の実施形態について説明する。本発明は、以降の例示に限定されるものではなく、特許請求の範囲に示され、特許請求の範囲と均等の範囲内における全ての変更が含まれることが意図される。図面の説明において、同一又は相当する要素には同一の符号を付し、重複する説明を適宜省略する。また、図面は、理解の容易のため、一部を簡略化又は誇張して描いており、寸法比率等は図面に記載のものに限定されない。
【００１８】
図１及び図２に示されるように、本実施形態に係る枕１は側地１０を備える。側地１０の内部空間Ｓ（図３及び図４参照）には内容物２０が収容され、枕１は内部空間Ｓを仕切る複数の仕切部３０を備える。側地１０は、表地１１、及び表地１１の反対側を向く裏地１２を含む。側地１０は全体的に直方体状を成しており、表地１１及び裏地１２のそれぞれは長方形状を成している。側地１０は高い柔軟性を有している。枕１は、第１方向Ｄ１に延在する一対の長辺２と、第１方向Ｄ１に交差する第２方向Ｄ２に延在する一対の短辺３とを有する。第１方向Ｄ１は枕１の長手方向であり、第２方向Ｄ２は枕１の幅方向である。例えば、第１方向Ｄ１及び第２方向Ｄ２は互いに直交している。
【００１９】
例えば、側地１０の第１方向Ｄ１の長さは、４０ｃｍ以上且つ９０ｃｍ以下であり、５０ｃｍ以上且つ８０ｃｍ以下であってもよいし、６０ｃｍ以上且つ７０ｃｍ以下であってもよい。側地１０の第２方向Ｄ２の長さは、２０ｃｍ以上且つ７０ｃｍ以下であり、３０ｃｍ以上且つ６０ｃｍ以下であってもよいし、４０ｃｍ以上且つ５０ｃｍ以下であってもよい。但し、これらの長さは適宜変更可能である。
【００２０】
枕１は、例えば、汚れ防止のための枕カバーに収容された状態で使用される枕本体である。一例として、枕１は、マットレス又は敷き布団等の敷き寝具の上に載せられて使用される。長辺２は、第２方向Ｄ２の一方側に位置する第１長辺２ｂと、第２方向Ｄ２の他方側に位置する第２長辺２ｃとを含む。第２長辺２ｃは、例えば、使用者Ｍ（図９参照）の首が載せられる部位である。短辺３は、第１方向Ｄ１の一方側（図１及び図２では左側）に位置する第１短辺３ｂと、第１方向Ｄ１の他方側に位置する第２短辺３ｃとを含む。本明細書において、「使用者」とは、枕１を使用する可能性がある者を示しており、例えば、枕１を購入する前に枕１を試用する者である。
【００２１】
例えば、表地１１には、キルティングが施されていてもよい。この場合、側地１０の保温性を高めると共にデザイン性を高めることが可能となる。表地１１の材料は、例えば、綿及びシルクを含んでいる。一例として、表地１１の綿の割合は７０％であり、表地１１のシルクの割合は３０％である。表地１１は、例えば、表地１１の中心Ｏ１を通り第２方向Ｄ２に延びる中心軸線Ｌ１に対して対称な形状とされている。
【００２２】
仕切部３０は、第１短辺３ｂ及び第２短辺３ｃのそれぞれから第１長辺２ｂまで延びる第１仕切部３１と、一対の第１仕切部３１の間において第１方向Ｄ１に延びる第２仕切部３２と、第２仕切部３２の第１長辺２ｂ寄りの位置において第１方向Ｄ１に延びる第３仕切部３３と、各第１仕切部３１よりも側地１０の各隅部１０ｂ側に位置する第４仕切部３４とを含む。
【００２３】
枕１は、各第１仕切部３１よりも各隅部１０ｂ側に第１部分Ｐ１を有し、各第１部分Ｐ１及び第４仕切部３４よりも更に隅部１０ｂ側に第２部分Ｐ２を有する。第１部分Ｐ１及び第２部分Ｐ２は、枕１の第１方向Ｄ１の両端側のそれぞれに設けられる。例えば、第１部分Ｐ１は使用者Ｍの頬Ｍ１（図９参照）が載せられる部分であり、第２部分Ｐ２は使用者Ｍの頬Ｍ１から顎Ｍ２に向かう部分が載せられる部位である。更に、各第１仕切部３１及び第２仕切部３２よりも第２長辺２ｃ側に第３部分Ｐ３を有し、各第１仕切部３１及び第２仕切部３２よりも第１長辺２ｂ側に第４部分Ｐ４を有する。例えば、第３部分Ｐ３は使用者Ｍの首が載せられる部位であり、第４部分Ｐ４は使用者Ｍの頭部が載せられる部位である。
【００２４】
一例として、外力が付与されていない状態において、第１部分Ｐ１及び第２部分Ｐ２のそれぞれは、第３部分Ｐ３及び第４部分Ｐ４のそれぞれよりも盛り上がっている（膨らんでいる）。例えば、外力が付与されていない状態において、第３部分Ｐ３は第４部分Ｐ４よりも盛り上がっている（膨らんでいる）。
【００２５】
このように、一対の第１部分Ｐ１、及び一対の第２部分Ｐ２が第３部分Ｐ３及び第４部分Ｐ４のそれぞれよりも盛り上がっていることにより、枕１に対する頬Ｍ１から顎Ｍ２までの接触面積を増大させて頬Ｍ１をやさしく包み込むと共に、頬Ｍ１から顎Ｍ２までの部分にかかる圧力を緩和することが可能である。また、使用者Ｍの首が載せられる第３部分Ｐ３が頭部が載せられる第４部分Ｐ４よりも盛り上がっていることにより、神経等の複雑な組織が通る首をより確実に保護することができる。
【００２６】
図３は図２のIII−III線断面図であり、図４は図２のIV−IV線断面図である。図２〜図４に示されるように、第１仕切部３１、第２仕切部３２及び第３仕切部３３のそれぞれは、例えば、側地１０の内部空間Ｓにおいて表地１１から裏地１２まで延びている。この場合、第１仕切部３１、第２仕切部３２及び第３仕切部３３のそれぞれは、表地１１及び裏地１２のそれぞれに縫い込まれている。
【００２７】
従って、表地１１及び裏地１２のそれぞれには、第１仕切部３１、第２仕切部３２及び第３仕切部３３のそれぞれの縫い目が形成されている。第１仕切部３１、第２仕切部３２及び第３仕切部３３のそれぞれは、例えば、側地１０の厚さ方向である方向Ｄ３に延びる中仕切り生地であり、内部空間Ｓを複数の領域に仕切るマチ部である。一例として、第１仕切部３１、第２仕切部３２及び第３仕切部３３の材料は、ポリエステル及び綿の少なくともいずれかを含む。
【００２８】
一例として、第１仕切部３１は、第１短辺３ｂ及び第２短辺３ｃのそれぞれから第１方向Ｄ１に延び出すと共に徐々に第２長辺２ｃに向かって湾曲する曲線状とされている。第２仕切部３２は、各第１仕切部３１の途中部分から側地１０の第１方向Ｄ１の中央側に延び出すと共に第１方向Ｄ１の中央に向かうに従って第２長辺２ｃ寄りに湾曲する曲線状とされている。
【００２９】
一例として、第１仕切部３１及び第２仕切部３２は、共に曲線状とされている。しかしながら、第１仕切部３１及び第２仕切部３２のそれぞれの形状は適宜変更可能である。第３仕切部３３は、例えば、中心Ｏ１よりも第１長辺２ｂ寄りの位置において第１方向Ｄ１に沿って延在している。一例として、第３仕切部３３は、第１方向Ｄ１の中央に向かうに従って第２長辺２ｃ側に湾曲している曲線状とされている。
【００３０】
枕１（側地１０）の内部空間Ｓは、例えば、一対の第１仕切部３１のそれぞれの隅部１０ｂ側に位置する一対の第１内部空間Ｓ１と、一対の第１仕切部３１の間に位置する第２内部空間Ｓ２と、一対の第１仕切部３１及び第２仕切部３２の第１長辺２ｂ側に位置する第３内部空間Ｓ３とを含む。各第１内部空間Ｓ１と第２内部空間Ｓ２とは第１仕切部３１によって仕切られており、第２内部空間Ｓ２と第３内部空間Ｓ３とは第２仕切部３２によって仕切られている。また、第３内部空間Ｓ３の一部が第３仕切部３３によって仕切られている。
【００３１】
側地１０の内部空間Ｓには、内容物２０が収容されている。内容物２０は、例えば、各第１内部空間Ｓ１に収容される第１内容物２１、第２内部空間Ｓ２に収容される第２内容物２２、及び第３内部空間Ｓ３に収容される第３内容物２３を含む。例えば、第１内容物２１は、第２内容物２２及び第３内容物２３のいずれよりも柔らかい。第１内容物２１は、例えば、綿（わた）である。一例として、第１内容物２１の材料はポリエステルである。しかしながら、第１内容物２１は、羽毛又はウレタンであってもよく、適宜変更可能である。
【００３２】
第２内容物２２は、中空とされた中空粒状体であってもよい。具体例として、第２内容物２２は、中空とされたパイプ材又はビーズであってもよい。一例として、第２内容物２２は、筒状を成すポリエチレン製のパイプ材であってもよい。しかしながら、第２内容物２２は、例えば、第１内容物２１より硬い綿（わた）であってもよい。第３内容物２３の材料は、例えば、第２内容物２２の材料と同一である。但し、第２内容物２２の材料、及び第３内容物２３の材料は適宜変更可能である。
【００３３】
図５は枕１を第１長辺２ｂ側から見た斜視図であり、図６は枕１の裏地１２を示す図である。裏地１２の材料は、例えば、ポリエステル及び綿の少なくともいずれかを含んでおり、一例として、ポリエステルの割合が６５％且つ綿の割合が３５％である。図５及び図６に示されるように、裏地１２は、例えば、裏地１２の中心Ｏ２を通り第２方向Ｄ２に延びる中心軸線Ｌ２に対して対称な形状とされている。裏地１２には、例えば、シート材が着脱可能とされていてもよく、シート材が裏地１２に取り付けられることによって側地１０の高さが変更可能とされていてもよい。このシート材は、一例として、ボタンによって裏地１２に着脱可能とされる。
【００３４】
枕１の各第１部分Ｐ１の裏地１２には第１内部空間Ｓ１を開閉する第１ファスナー４１が設けられており、枕１の第３部分Ｐ３の裏地１２には第２内部空間Ｓ２を開閉する第２ファスナー４２が設けられている。各第１ファスナー４１及び第２ファスナー４２のそれぞれは、例えば、第１方向Ｄ１に沿って直線状に延びている。第１ファスナー４１を開閉することによって第１内部空間Ｓ１に収容される第１内容物２１の量が調整され、第２ファスナー４２を開閉することによって第２内部空間Ｓ２に収容される第２内容物２２の量が調整される。
【００３５】
第１長辺２ｂには第３内部空間Ｓ３を開閉する第３ファスナー４３が設けられている。第３ファスナー４３は、例えば、側地１０の第１方向Ｄ１の中央を含む領域に配置されている。第３ファスナー４３を開放することにより、第３内部空間Ｓ３に収容される第３内容物２３の量が調整される。以上の第１ファスナー４１、第２ファスナー４２及び第３ファスナー４３を備えることにより、第１内部空間Ｓ１、第２内部空間Ｓ２及び第３内部空間Ｓ３のそれぞれに収容される第１内容物２１、第２内容物２２及び第３内容物２３の量が調整可能である。
【００３６】
例えば、第１ファスナー４１、第２ファスナー４２及び第３ファスナー４３は、いずれも表地１１以外の箇所に配置されていてもよい。この場合、第１ファスナー４１、第２ファスナー４２及び第３ファスナー４３のいずれかが使用者の身体に当たることを抑制することができる。但し、側地１０のファスナーの態様は、第１ファスナー４１、第２ファスナー４２及び第３ファスナー４３に限られず適宜変更可能である。すなわち、側地１０のファスナーの数、長さ及び配置態様は適宜変更可能である。
【００３７】
図７は、第１部分Ｐ１及び第２部分Ｐ２を拡大した斜視図である。図２及び図７に示されるように、第１部分Ｐ１及び第２部分Ｐ２は、第４仕切部３４を介して仕切られている。第４仕切部３４は、例えば、第１短辺３ｂ及び第２短辺３ｃのそれぞれから第１方向Ｄ１に延び出すと共に第２長辺２ｃに向かって徐々に湾曲する曲線状とされている。
【００３８】
図７及び図８に示されるように、第２部分Ｐ２は、第２部分Ｐ２の高さを高くする高さ調整部材Ｈを収容する収容空間Ｋを有する。例えば、収容空間Ｋは、第２部分Ｐ２の表地１１の裏側に形成されており、高さ調整部材Ｈは表地１１の裏側に位置する収容空間Ｋに収容される。収容空間Ｋへの高さ調整部材Ｈの収容は、使用者Ｍによって行われてもよいし、枕１を販売する店員によって行われてもよい。収容空間Ｋの下方（裏地１２側）には第１内部空間Ｓ１が設けられており、第２部分Ｐ２の高さ変更は第１内部空間Ｓ１への第１内容物２１の量を変更することによっても可能である。
【００３９】
すなわち、第２部分Ｐ２は、第１仕切部３１よりも隅部１０ｂ側であって、且つ表地１１及び収容空間Ｋを含むポケット状の部分を示しており、収容空間Ｋの下方に第１部分Ｐ１と共通の第１内部空間Ｓ１が設けられている。収容空間Ｋには、例えば、複数枚の高さ調整部材Ｈを出し入れ可能とされている。例えば、第２部分Ｐ２は、収容空間Ｋに高さ調整部材Ｈを出し入れ可能とする開口Ｋ１を有し、開口Ｋ１を介して収容空間Ｋに高さ調整部材Ｈを出し入れ自在となっている。
【００４０】
開口Ｋ１は、例えば、第１短辺３ｂ及び第２短辺３ｃのそれぞれに設けられており、第１方向Ｄ１を向くように開放されている。一例として、開口Ｋ１にはファスナーが設けられておらず、開口Ｋ１は常時開放されている。これにより、開口Ｋ１に高さ調整部材Ｈを出し入れしやすくすることができ、開口Ｋ１から高さ調整部材Ｈを出して高さ調整部材Ｈを洗濯しやすくすることができるので衛生的である。
【００４１】
高さ調整部材Ｈは、例えば、柔軟性素材によって構成されると共に第１方向Ｄ１及び第２内部空間Ｓ２の双方に延びるシート状とされている。ここで、シート状とは、物体が二次元方向に長く延在する態様を示している。高さ調整部材Ｈの厚さは、例えば、０．５ｃｍｍ以上且つ２．０ｃｍ以下であり、一例として１．０ｃｍである。高さ調整部材Ｈの形状は、第２部分Ｐ２の形状に合った形状とされていてもよい。高さ調整部材Ｈは、例えば、第１方向Ｄ１に沿って延びる第１辺Ｈ１、第２方向Ｄ２に沿って延びる第２辺Ｈ２、及び第１辺Ｈ１と第２辺Ｈ２との間において延在する第３辺Ｈ３を有する。一例として、高さ調整部材Ｈは、第３辺Ｈ３を斜辺とした略直角三角形状とされている。
【００４２】
高さ調整部材Ｈの材料は、例えば、綿（わた）及びウレタンの少なくともいずれかを含んでいる。高さ調整部材Ｈの材料が綿（わた）である場合、高さ調整部材Ｈを容易に洗濯することができる。また、高さ調整部材Ｈの材料がウレタンである場合、高さ調整部材Ｈの形状をより安定させることができるので、収容空間Ｋに更に出し入れしやすい高さ調整部材Ｈとすることが可能である。
【００４３】
次に、本実施形態に係る枕１から得られる作用効果について詳細に説明する。図２及び図９に示されるように、枕１では、表地１１が第１方向Ｄ１及び第２方向Ｄ２の双方に延びる長方形状とされると共に、表地１１を含む側地１０が直方体状とされる。枕１の第１方向Ｄ１の両側のそれぞれには第１部分Ｐ１が設けられ、第１部分Ｐ１は横向き寝をした使用者Ｍの頬Ｍ１が当たる部位に相当する。
【００４４】
また、第１部分Ｐ１の側地１０の隅部１０ｂ側には第２部分Ｐ２が設けられ、第２部分Ｐ２は、第１部分Ｐ１に対する第２部分Ｐ２の高さを高くする高さ調整部材Ｈを収容する収容空間Ｋを有する。第２部分Ｐ２は使用者Ｍの頬Ｍ１から顎Ｍ２に向かう部分が載せられる部位であって、第２部分Ｐ２の高さは高さ調整部材Ｈによって調整可能とされている。すなわち、収容空間Ｋに収容される高さ調整部材Ｈによって、頬Ｍ１から顎Ｍ２に向かう部分の高さを調整可能となる。
【００４５】
従って、頬Ｍ１から顎Ｍ２に向かう部分が引き締まっていて細い顔の使用者Ｍ（例えば図９（ａ）の使用者Ｍ）に対しては高さ調整部材Ｈによって第２部分Ｐ２の高さを高くし、頬Ｍ１から顎Ｍ２に向かう部分にエラが張っていて太い顔の使用者Ｍ（例えば図９（ｃ）の使用者Ｍ）に対しては第２部分Ｐ２を低くして、頬Ｍ１から顎Ｍ２に向かう部分に対する枕１の接触面積を増やすことができる。頬Ｍ１から顎Ｍ２に向かう部分の枕１に対する接触面積を増やすことによって当該部分の圧力を緩和することができるので、使用者Ｍの顔の形状に応じた横向き寝に相応しい枕１を提供することができる。
【００４６】
更に、本実施形態に係る枕１では、頬Ｍ１から顎Ｍ２に向かう部分の接触面積を増やして当該部分の圧力を緩和することにより、頬への圧力を分散し、血流を妨げにくくすることができ、皮膚の機能が保たれて皮膚に角層が形成されてバリア機能が働くと共にターンオーバーを正常に回転することが可能となる。また、頬への圧力を分散することによって新陳代謝が正常に行われると共にメラニンの排出が良好に行われ、皮膚の機能を正常化させることができる。
【００４７】
本実施形態において、収容空間Ｋは、表地１１の裏側に形成されており、高さ調整部材Ｈは、表地１１の裏側に位置する収容空間Ｋに収容される。よって、高さ調整部材Ｈを収容する収容空間Ｋが表地１１の直ぐ裏に設けられるので、高さ調整部材Ｈの出し入れによってより確実に第２部分Ｐ２の高さを変えることができる。具体的には、収容空間が表地から遠く下方に設けられる場合には高さ調整部材を収容しても第２部分の高さが変わりにくいことがあるのに対し、収容空間Ｋが表地１１の直ぐ裏にある場合には高さ調整部材Ｈの収容によって第２部分Ｐ２の高さをより直接的に変更することができる。
【００４８】
本実施形態において、図７及び図８に示されるように、第２部分Ｐ２は、収容空間Ｋに高さ調整部材Ｈを出し入れ可能とする開口Ｋ１を有する。開口Ｋ１を介して収容空間Ｋに高さ調整部材Ｈを容易に出し入れすることができるので、枕１の頬Ｍ１から顎Ｍ２に向かう部分が当たる第２部分Ｐ２の高さを容易に調整することができる。また、高さ調整部材Ｈを容易に出し入れできることにより、高さ調整部材Ｈの洗濯等を容易に行うことができるので、衛生的な高さ調整部材Ｈとすることができる。
【００４９】
本実施形態において、収容空間Ｋには、複数の高さ調整部材Ｈを出し入れ可能とされている。よって、収容空間Ｋを有する第２部分Ｐ２の高さを３段階以上で変更することができる。従って、頬Ｍ１から顎Ｍ２に向かう部分の形状によって使用者Ｍを３タイプ以上に分け、第２部分Ｐ２の高さを各タイプの顔の形状に応じた高さとすることができる。
【００５０】
具体例として、図９（ａ）に示されるような細い顔の使用者ＭのタイプをタイプＡ、図９（ｃ）に示されるような太い顔の使用者ＭのタイプをタイプＣ、図９（ｂ）に示されるような中間の細さの顔のタイプをタイプＢと分けて、タイプＡの使用者Ｍには２枚の高さ調整部材Ｈを収容空間Ｋに入れ、タイプＢの使用者Ｍには１枚の高さ調整部材Ｈを収容空間Ｋに入れ、タイプＣの使用者Ｍには高さ調整部材Ｈを入れない、というサービスが可能となる。
【００５１】
その結果、使用者Ｍの顔の形状を３タイプ以上に分類することにより、第２部分Ｐ２の高さをよりきめ細やかに変更することができる。よって、個人差に応じて第２部分Ｐ２の高さがよりきめ細やかに調整された枕１を提供することができるので、横向き寝に一層相応しい枕１を使用者Ｍに提供することができる。
【００５２】
更に、本実施形態に係る枕１では、図２及び図３に示されるように、第１部分Ｐ１及び第２部分Ｐ２の第１内容物２１が第３部分Ｐ３及び第４部分Ｐ４の第２内容物２２及び第３内容物２３よりも柔らかい。従って、使用者Ｍの頬Ｍ１の形状に応じて第１部分Ｐ１及び第２部分Ｐ２の形状を変えやすくすることができるので、使用者Ｍの頬Ｍ１にかかる圧力を緩和することができる。また、第２内容物２２及び第３内容物２３が第１内容物２１よりも硬いことにより、使用者Ｍの首及び頭部を第３部分Ｐ３及び第４部分Ｐ４のそれぞれにおいてしっかりと支えることができる。
【００５３】
本実施形態に係る枕１では、収容空間Ｋの開口Ｋ１にファスナーが設けられておらず、開口Ｋ１は常時開放されている。従って、横向き寝をした使用者Ｍの頬Ｍ１又は顎Ｍ２がファスナー等に当たることがないので、使用者Ｍにより快適な寝心地を提供することができる。
【００５４】
以上、本発明に係る枕の実施形態について説明した。しかしながら、本発明は、前述した実施形態に限定されるものではなく、各請求項に記載した要旨を変更しない範囲において適宜変更可能である。すなわち、枕の各部の形状、大きさ、材料、数及び配置態様は、上記の要旨を逸脱しない範囲において適宜変更可能である。
【００５５】
例えば、前述の実施形態では、裏地１２にボタンを介してシート材が着脱可能とされる例について説明した。しかしながら、このシート材は省略することも可能である。また、前述の実施形態では、収容空間Ｋの開口Ｋ１が常時開放されている例について説明した。しかしながら、収容空間の開口はファスナー等によって開閉されるものであってもよい。
【００５６】
また、前述の実施形態では、シート状の高さ調整部材Ｈについて説明した。高さ調整部材Ｈがシート状である場合、開口Ｋ１を介して収容空間Ｋに高さ調整部材Ｈを出し入れしやすいという利点がある。但し、高さ調整部材の形状は、シート状に限られず適宜変更可能である。更に、前述の実施形態では、表地１１にキルティングが施されている例について説明した。しかしながら、枕の側地にはキルティングが施されていなくてもよい。一例として、側地にジャガード織りが施されていてもよく、側地の素材及びデザインについては適宜変更可能である。
【００５７】
また、前述の実施形態では、一対の第１仕切部３１、第２仕切部３２、第３仕切部３３、及び一対の第４仕切部３４を備える枕１について例示した。しかしながら、枕の仕切部の数、形状、大きさ及び配置態様は適宜変更可能である。例えば、第３仕切部３３は省略することも可能である。更に、前述の実施形態では、一対の第１内部空間Ｓ１、第２内部空間Ｓ２及び第３内部空間Ｓ３を備える枕１について例示した。しかしながら、枕の内部空間の数、形状、大きさ及び配置態様についても適宜変更可能である。また、前述の実施形態では、柔らかい綿（わた）を含む第１内容物２１、第１内容物２１よりも硬い綿（わた）及びパイプ材のいずれかを含む第２内容物２２及び第３内容物２３について例示した。しかしながら、枕１の内容物の種類の数及び材料についても適宜変更可能である。
【符号の説明】
【００５８】
１…枕、２…長辺、２ｂ…第１長辺、２ｃ…第２長辺、３…短辺、３ｂ…第１短辺、３ｃ…第２短辺、１０…側地、１１…表地、１２…裏地、２０…内容物、２１…第１内容物、２２…第２内容物、２３…第３内容物、３０…仕切部、３１…第１仕切部、３２…第２仕切部、３３…第３仕切部、３４…第４仕切部、４１…第１ファスナー、４２…第２ファスナー、４３…第３ファスナー、Ｄ１…第１方向、Ｄ２…第２方向、Ｄ３…方向、Ｈ…高さ調整部材、Ｈ１…第１辺、Ｈ２…第２辺、Ｈ３…第３辺、Ｋ…収容空間、Ｋ１…開口、Ｌ１，Ｌ２…中心軸線、Ｍ…使用者、Ｍ１…頬、Ｍ２…顎、Ｏ１，Ｏ２…中心、Ｐ１…第１部分、Ｐ２…第２部分、Ｐ３…第３部分、Ｐ４…第４部分、Ｓ…内部空間、Ｓ１…第１内部空間、Ｓ２…第２内部空間、Ｓ３…第３内部空間。
【図１】
2020174743.tif 000003
【図２】
2020174743.tif 000004
【図３】
2020174743.tif 000005
【図４】
2020174743.tif 000006
【図５】
2020174743.tif 000007
【図６】
2020174743.tif 000008
【図７】
2020174743.tif 000009
【図８】
2020174743.tif 000010
【図９】
2020174743.tif 000011